(57)【要約】【課題】  下カバーの上面に水が浸入した水が多い場合は、素早く排水できる。浸入する水の量が少なかったり、あるいは排水すべき水が少なくなった場合は、後端排水部から壁に沿って排水するのみで、前後方向の略中間部分の水抜き孔からポタポタと水滴が滴下しない。【解決手段】  吐水部１からの吐水、停水の操作を行うための操作部２を有する水栓装置本体３を壁４から突出するカウンター５に取付けると共にカウンター５の下方に水栓装置本体３に接続する配管６を配置する。カウンター５の下方において水栓装置３と配管６を隠すための下カバー７を設ける。下カバー７を壁４側ほど下となるように傾斜させる。下カバー７の壁４側端部に後端排水部８を設ける。下カバー７の前後方向の略中間部位に水抜き孔９を形成する。水抜き孔９の周縁部に上方に突出する突縁部１０を形成する。【選択図】        図１
2009174272.tif 000002
【特許請求の範囲】
【請求項１】
吐水部からの吐水、停水の操作を行うための操作部を有する水栓装置本体を壁から突出するカウンターに取付けると共にカウンターの下方に水栓装置本体に接続する配管を配置し、カウンターの下方において水栓装置本体と配管を隠すための下カバーを設け、該下カバーを壁側ほど下となるように傾斜させ、下カバーの壁側端部に後端排水部を設け、下カバーの前後方向の略中間部位に水抜き孔を形成し、該水抜き孔の周縁部に上方に突出する突縁部を形成して成ることを特徴とする水栓装置を備えたカウンターの下カバーの水抜き構造。
【請求項２】
水栓装置を壁から突出するカウンターの下面に配設すると共に略板状をした操作部をカウンターの前端よりも前方に突出させ、カウンターの下方に水栓装置本体に接続する配管を位置させ、カウンターの下方において水栓装置本体と配管を隠すための下カバーを設けて成ることを特徴とする請求項１記載の水栓装置を備えたカウンターの下カバーの水抜き構造。
【請求項３】
水抜き孔の水上側の縁に形成した突縁部の背を低く、水下側の縁及び左右両側縁に形成した突縁部の背を高く形成して成ることを特徴とする請求項１又は請求項２記載の水栓装置を備えたカウンターの下カバーの水抜き構造。
【発明の詳細な説明】
【技術分野】
【０００１】
本発明は、水栓装置を備えたカウンターの下カバーの水抜き構造に関するものである。
【背景技術】
【０００２】
浴室の壁から突設したカウンターに給水装置を取付け、カウンターの下方の壁と水栓装置との間に水栓装置に接続する配管を配置し、カウンターの下方に下カバーを取付けて水栓装置、配管を覆うものが従来から特許文献１により知られている。
【０００３】
この特許文献１にあっては、下カバーの後端部である壁側端部に後端排水部を設けて下カバーの上面側に浸入した水をこの後端排水部から壁の表面を伝って排水するようにしている。
【０００４】
ところが、この従来例にあっては、下カバーの上面側に浸入した水をすべて下カバーの後端に導いて後端の後端排水部から排水していただけなので、浸入した水が多いと排水に時間がかかるという問題がある。
【０００５】
そこで、下カバーの前後方向の略中間部に水抜き孔を形成し、下カバーの上面側に浸入した水を、前後方向の略中間部の水抜き孔と後端の後端排水部から排水することを考えたが、このものにおいては、短時間で排水することができるが、下カバーの前後方向の略中間部分に水抜き孔を形成してこの部分から排水する場合、排水すべき水が少なくとなると、下カバーの前後方向の略中間部分に設けた水抜き孔からポタポタと水滴が落下し、外観が悪いという問題がある。
【特許文献１】特開２０００−６０７５９号公報
【発明の開示】
【発明が解決しようとする課題】
【０００６】
本発明は上記の従来の問題点に鑑みて発明したものであって、下カバーの上面に浸入した水が多い場合は、下カバーの前後方向の略中間部分の水抜き孔と後端の後端排水部の両方から素早く排水でき、浸入する水の量が少なかったり、あるいは排水している時に水が少なくなった場合は、後端排水部から壁に沿って排水するのみで、前後方向の略中間部分の水抜き孔からポタポタと水滴が滴下しないようにできる水栓装置を備えたカウンターの下カバーの水抜き構造を提供することを課題とするものである。
【課題を解決するための手段】
【０００７】
上記課題を解決するために本発明に係る水栓装置を備えたカウンターの下カバーの水抜き構造は、吐水部１からの吐水、停水の操作を行うための操作部２を有する水栓装置本体３を壁４から突出するカウンター５に取付けると共にカウンター５の下方に水栓装置本体３に接続する配管６を配置し、カウンター５の下方において水栓装置本体３と配管６を隠すための下カバー７を設け、該下カバー７を壁４側ほど下となるように傾斜させ、下カバー７の壁４側端部に後端排水部８を設け、下カバー７の前後方向の略中間部位に水抜き孔９を形成し、水抜き孔９の周縁部に上方に突出する突縁部１０を形成して成ることを特徴とするものである。
【０００８】
このような構成とすることで、カウンター５の下方に位置する下カバー７の上面側に水が浸入した場合、侵入した水の水量が多いと、後端に設けた後端排水部８から排水されるだけでなく、下カバー７の前後方向の略中間部位に設けた水抜き孔９部分においては突縁部１０を乗り越えて排水され、これにより素早く排水することができ、排水の最後で水が少なくなると、前後方向の略中間に設けた水抜き孔９部分においては突縁部１０を越えないため、前後方向の中間の水抜き孔９からは排水されず、したがって、この部分から水が少しずつ水滴になって滴下するというようなことがなくなり、残りの水は全て後端排水部８に流れて排水される。また、浸入した水が少ない場合は、水抜き孔９部分においては突縁部１０を越えないため、前後方向の中間の水抜き孔９からは排水されず、したがって、この部分から水が少しずつ水滴になって滴下するというようなことがなくなり、残りの水は全て後端排水部８に流れて排水される。
【０００９】
また、水栓装置本体３を壁４から突出するカウンター５の下面に配設すると共に略板状をした操作部２をカウンター５の前端よりも前方に突出させ、カウンター５の下方に水栓装置本体３に接続する配管６を位置させ、カウンター５の下方において水栓装置本体３と配管６を隠すための下カバー７を設けることが好ましい。
【００１０】
このような構成とすることで、水栓装置本体３をカウンター５の下面に配設すると共に略板状をした操作部２をカウンター５の前端よりも前方に突出させた構成とするものにおいては略板状をした操作部２のみがカウンター５の前端から突出してあたかも略板状の操作部２がカウンター５の前端部の一部であるかのような外観にできる。このように水栓装置本体３をカウンター５の下面に配設すると共に略板状をした操作部２をカウンター５の前端よりも前方に突出させた構成にすると、操作部２の上面から水がカウンター５の下方の水栓装置本体３側に多くの水が入るようになるが、本発明においては、上記のように、下カバー７の前後方向の略中間部位に設けた水抜き孔９及び後端の後端排水部８から素早く排水することができる。
【００１１】
また、水抜き孔９の水上側の縁に形成した突縁部１０の背を低く、水下側の縁及び左右両側縁に形成した突縁部１０の背を高く形成することが好ましい。
【００１２】
このような構成とすることで、下カバー７の上面側に多くの水が浸入した場合、前後方向の略中間部分の水抜き孔９部分においては、水上側の縁に形成した背の低い突縁部１０を越えて水抜き孔９から排水されるのであるが、この時、背の低い突縁部１０を越えてそのまま水抜き孔９を後方に飛び越えて流れるようとしても、水下側の縁及び左右両側縁に形成した背の高い突縁部１０により遮られて確実に水抜き孔９から排水することができる。
【発明の効果】
【００１３】
本発明にあっては、上記のように下カバーの壁側端部に後端排水部を設け、下カバーの前後方向の略中間部位に水抜き孔を形成し、水抜き孔の周縁部に上方に突出する突縁部を形成したので、下カバーの上面に水が浸入した水が多い場合は、下カバーの前後方向の略中間部分の水抜き孔と後端の後端排水部の両方から素早く排水でき、浸入する水の量が少なかったり、あるいは排水すべき水が少なくなって突縁部を乗り越えることが出来ないほど少なくなると、前後方向の中間部分の水抜き孔からポタポタと水滴が滴下しないようにでき、外観がよくなる。
【００１４】
また、水栓装置本体をカウンターの下面に配設すると共に略板状をした操作部をカウンターの前端よりも前方に突出させるものにおいては、略板状をした操作部のみがカウンターの前端から突出してあたかも略板状の操作部がカウンターの前端部の一部であるかのような外観にできて外観が向上する。しかもこのように外観を向上するため略板状をした操作部をカウンターの前端よりも前方に突出させた構成にすると、操作部の上面から水がカウンターの下方の水栓装置本体側に多くの水が入るようになるが、本発明においては、下カバーの前後方向の略中間部位に設けた水抜き孔及び後端の後端排水部から素早く排水することができる。
【００１５】
また、水抜き孔の水下側の縁及び左右両側縁に形成した突縁部の背を高く形成したものにおいては、背の低い水上側の突縁部を越えてそのまま水抜き孔を後方に飛び越えて流れようとしても、水下側の縁及び左右両側縁に形成した背の高い突縁部により遮られて確実に水抜き孔から排水することができ、排水がより素早くできる。
【発明を実施するための最良の形態】
【００１６】
以下、本発明を添付図面に示す実施形態に基いて説明する。
【００１７】
図１乃至図５には本発明の一実施形態が示してあり、図６乃至図９には他の実施形態が示してある。
【００１８】
水栓装置１１は、カバー本体２５内に内装した主体部を構成する水栓装置本体３と、先端部に操作部２を有するレバーハンドル１７とで構成してある。
【００１９】
カウンター５は浴室の壁４から前方に突出するように取付けられ、このカウンター５の下面部の前部には水栓装置本体３を内装したカバー本体２５が取付けられる。
【００２０】
水栓装置本体３には吐水部１が設けてあり、この吐水部１としては水栓装置本体３の下面部に設けた吐水部１ａと、シャワーホース１９に接続する吐水部１ｂとがある。上記湯水混合部１３と吐水部１との間には弁機構部１２が設けてあり、湯水混合部１３で混合した湯水を接続管１５を介して弁機構部１２に送り、弁機構部１２の回動弁１６を回動することで、吐水部１ａや吐水部１ｂから吐水したり、停水したりするようになっている。
【００２１】
添付図面に示す実施形態では、弁機構部１２には吐水部１ａ用、吐水部１ｂ用の２つの回動弁１６が回動自在に設けてあり、各回動弁１６の軸方向端部にはそれぞれレバーハンドル１７の後端部が固着してあり、各レバーハンドル１７の前端部に略板状をした操作部２が設けてあり、この操作部２はカバー本体２５の前開口２６から前方に突出しており、このカバー本体２５の前開口２６から前方に突出する操作部２がカウンター５の前端から前方に突出している。
【００２２】
操作部２を操作することで対応するレバーハンドル１７が後端部を中心に上下方向に回動自在となっており、レバーハンドル１７が回動することで対応する回動弁１６回動して対応する吐水部１から湯水を吐水したり、停水を行うようになっている。
【００２３】
また、水栓装置本体３には湯水混合部１３における湯水混合割合を変えるための別のレバーハンドル１７’が設けてあり、このレバーハンドル１７’の先端に略板状をした操作部２’が設けてあり、この操作部２’もカウンター５の前端から前方に突出している。
【００２４】
また、上記操作部２と操作部２’との間には操作部２と同じ形状をしたダミー用操作部２ａがカバー本体２５から前方に突設してあり、このダミー用操作部２ａはカウンター５の前端部から前方に突出しているが回動操作することはできない。
【００２５】
カウンター５の下方において浴室の壁４から給水用、給湯用の配管６が突出していてこの配管６がカウンター５の下方に配置してあって、配管６の先端部が水栓装置本体３の湯水混合部１３の後部に設けた給水、給湯用の配管接続部１８に接続してある。
【００２６】
更に、カウンター５の下方においてカバー本体２５に下カバー７を取付けてあり、該下カバー７により水栓装置本体３と配管６が下方に露出しないように隠してある。
【００２７】
下カバー７は壁４側ほど下となるように傾斜しており、後端部が壁４に当接又は近接しており、この下カバー７の壁４側端部には後端排水部８を設けてある。
【００２８】
また、この下カバー７の前後方向の略中間部位には水抜き孔９が形成してあり、この水抜き孔９の周縁部には上方に突出する突縁部１０が全周にわたって形成してある。
【００２９】
図１乃至図５に示す実施形態においては、水抜き孔９の水上側の縁に形成した突縁部１０の背を低く、水下側の縁及び左右両側縁に形成した突縁部１０の背を高く形成してあり、更に、水下側の縁及び左右両側縁に形成した背の高い平面視略コ字状をした突縁部１０の上に蓋部２０が形成してある。
【００３０】
また、図６乃至図９に示す実施形態においては水抜き孔９の周縁部には突出高さの低い突縁部１０を全長にわたって形成した例が示してある。
【００３１】
上記いずれの実施形態においても、浴室内で使用した水がカウンター５にかかってカウンター５の前端側から下方の空間に浸入すると下カバー７の上面で受けられ、下カバー７が壁４側ほど下となるように傾斜しているので、下カバー７の上面の前端部から後端部の壁４側に向けて後端の後端排水部８から排水される。この場合、浸入した水が多い時には、後端に設けた後端排水部８から排水されるだけでなく、下カバー７の前後方向の略中間部位に設けた水抜き孔９部分においては突縁部１０を乗り越えて排水される。このように、前後方向の中間部分の水抜き孔９からも排水されるので、素早く排水することができる。
【００３２】
一方、排水の最後の方になると、下カバー７上面の水が少なくなって水抜き孔９の突縁部１０を越えて排水されず、すべて傾斜に沿って後端に流れて後端排水部８から出て壁４に沿いながら排水され、この後端排水部８から排水される水は後端であるため、前から見えず、また壁４に沿って流れるためポタポタと音をたてて滴下することもない。このように、前後方向の略中間部分に設けた水抜き孔９からは排水されないので、少ない水が前後方向の略中間に設けた水抜き孔９から水滴となってポタポタと滴下するという現象が生じないようにできて、外観がよくなる。
【００３３】
また、浸入した水の少量の場合は、はじめから水抜き孔９からは排水されず、したがって、すべて後端排水部８から排水されて壁４に沿って流下する。
【００３４】
ところで、添付図面に示す実施形態のように、水栓装置本体３を壁４から突出するカウンター５の下面に配設すると共に略板状をした操作部２をカウンター５の前端よりも前方に突出させたものにおいては、添付図面に示すように、水栓装置本体３の略板状をした操作部２のみがカウンター５の前端から前方に突出して存在するため、略板状をした操作部２があたかも板状をしたカウンター５の前端部の一部であるかのような外観にできるという特徴がある。
【００３５】
しかしながら、このように上下方向に回動自在な略板状をした操作部２をカウンター５の前端部から前方に突出したものにおいては、略板状をした操作部２に浴室内の水がかかって操作部２の回動支点部であるレバーハンドル１７の後端部側に流れ込み、このレバーハンドル１７の後端部側はカウンター５の下方に位置しているため、カウンター５の下方側により多くの水が入る構造となってしまう。
【００３６】
そこで、本発明においては、前述のように下カバー７の前後方向の略中間部位には水抜き孔９を形成することで、多くの水がカウンター５の下方に浸入するような構造としたものであっても素早く排水することができ、上記のように略板状をした操作部２をカウンター５の前端部から前方に突出した構成としてもカウンター５の下方に浸入した水の水抜きがスムーズに行えるようにしてある。
【００３７】
なお、図１乃至図５に示す実施形態のように、水抜き孔９の水上側の縁に形成した突縁部１０の背を低く、水下側の縁及び左右両側縁に形成した突縁部１０の背を高く形成し、更に、水下側の縁及び左右両側縁に形成した背の高い平面視略コ字状をした突縁部１０の上に蓋部２０が形成してたものにおいては、下カバー７の上面側に多くの水が浸入した場合、下カバー７の前後方向の略中間部分の水抜き孔９部分においては、水上側の縁に形成した背の低い突縁部１０を越えて水抜き孔９から排水されるのであるが、この時、背の低い突縁部１０を越えてそのまま水抜き孔９を後方に飛び越えて流れようとしても、水下側の縁及び左右両側縁に形成した背の高い突縁部１０により遮られて水抜き孔９を飛び越えて後方向に水が流れるようにできて、背の低い突縁部１０を越えた水を確実に水抜き孔９から排水することができ、より素早く排水することができる。
【００３８】
なお、上記いずれの実施形態においても、水抜き孔９は下カバー７の前後方向の略中間部分において下カバー７の左右方向に長い長孔としたり、あるいは、下カバー７の前後方向の略中間部分において下カバー７の左右方向に複数の水抜き孔９を所定間隔で隔設してもよい。
【図面の簡単な説明】
【００３９】
【図１】本発明の縦断面図である。
【図２】同上の平面断面図である。
【図３】同上に用いる水栓装置の背面側から見た斜視図である。
【図４】同上の全体斜視図である。
【図５】同上の水抜き孔部分の斜視図である。
【図６】本発明の他の実施形態の縦断面図である。
【図７】同上の平面断面図である。
【図８】同上に用いる水栓装置の背面側から見た斜視図である。
【図９】（ａ）は同上の水抜き孔部分の斜視図であり、（ｂ）は断面図である。
【符号の説明】
【００４０】
１  吐水部
２  操作部
３  水栓装置本体
４  壁
５  カウンター
６  配管
７  下カバー
８  後端排水部
９  水抜き孔突縁部
【図１】
2009174272.tif 000003
【図２】
2009174272.tif 000004
【図３】
2009174272.tif 000005
【図４】
2009174272.tif 000006
【図５】
2009174272.tif 000007
【図６】
2009174272.tif 000008
【図７】
2009174272.tif 000009
【図８】
2009174272.tif 000010
【図９】
2009174272.tif 000011